(57)【要約】【課題】カートリッジケースと光ディスクとの当接による光ディスクの記録領域に対する影響を低減させる。【解決手段】下シェル１および第２シェルを備えて各シェルの連結状態において光ディスク３００を収容可能に構成されると共に、各シェルの分離状態において光ディスク３００の出し入れが可能に構成され、下シェル１は、光ディスク３００の外周縁部３００ｂを支持する一対の支持部１３ａ，１３ｂを備え、第２シェルは、連結状態において光ディスク３００の中心孔３０１に挿通される挿通軸２１３を備え、各シェル１，２は、各シェル１，２の連結状態における挿通軸２１３の中心と支持壁１３１の内面１３１ｅとの間の最短の距離の２倍の距離Ａ１から光ディスク３００の外径Ｄ１を差し引いた値Ｖ１よりも光ディスク３００の中心孔３０１の直径Ｄ２から挿通軸２１３の直径Ａ２を差し引いた値Ｖ２が小さくなるように構成されている。【選択図】図８
2014130653.tif 000002
【特許請求の範囲】
【請求項１】
互いに連結および分離が可能な第１シェルおよび第２シェルを備えて当該各シェルの連結状態においてディスク状記録媒体を収容可能に構成されると共に、前記各シェルの分離状態において収容している前記ディスク状記録媒体の出し入れが可能に構成され、
前記第１シェルは、略矩形の底部と、当該底部における対向する一対の縁部にそれぞれ配設されて前記ディスク状記録媒体の外周縁部を支持する一対の支持部を備え、
前記第２シェルは、前記連結状態において前記第１シェルの前記底部に対向する略矩形の底部と、当該底部の内面に立設されて前記連結状態において前記第１シェルの前記支持部によって支持されている前記ディスク状記録媒体の中心孔に挿通される挿通軸とを備え、
前記第１シェルおよび前記第２シェルは、前記連結状態における前記挿通軸の中心と前記支持壁の前記内面との間の最短の距離の２倍の距離から前記ディスク状記録媒体の外径を差し引いた値よりも前記ディスク状記録媒体の前記中心孔の直径から前記挿通軸の直径を差し引いた値が小さくなるように構成されているカートリッジケース。
【請求項２】
前記第１シェルおよび前記第２シェルには、前記分離状態から前記連結状態に移行する移行時に互いに嵌合する嵌合部がそれぞれ設けられ、
前記各嵌合部の少なくとも一方には、当該各嵌合部同士の嵌合を誘導する誘導部が設けられている請求項１記載のカートリッジケース。
【請求項３】
前記第２シェルには、前記連結状態の維持を解除するための解除部材を挿入させる挿入孔が形成されると共に、当該カートリッジケース内における前記ディスク状記録媒体の収容領域と当該収容領域を除く当該カートリッジケース内の他の領域とを区画する区画壁が設けられている請求項１または２記載のカートリッジケース。
【請求項４】
前記第２シェルの前記底部に立設された回動軸を中心として回動可能に配設されて前記各シェルの連結状態において前記第１シェルの被係合部に係合部が近接する第１回動方向に付勢されて当該係合部が当該被係合部に係合して当該連結状態を維持すると共に、解除部材の挿入によって前記第１回動方向とは逆向きに回動させられて前記連結状態を解除可能に構成されたロック部材を備え、
前記第２シェルには、前記ロック部材の前記係合部と前記被係合部とが係合するまでの前記第１回動方向への回動量を超える当該ロック部材の回動を規制する規制部材が設けられている請求項１から３のいずれかに記載のカートリッジケース。
【請求項５】
請求項１から４のいずれかに記載のカートリッジケースと、当該カートリッジケースに収容されたディスク状記録媒体とを備えているディスクカートリッジ。
【発明の詳細な説明】
【技術分野】
【０００１】
本発明は、複数のディスク状記録媒体を収容するカートリッジケース、およびそのカートリッジケースを備えたディスクカートリッジに関するものである。
【背景技術】
【０００２】
この種のディスクカートリッジとして、特開２０１１−１０８３１２号公報に開示されたディスクカートリッジが知られている。このディスクカートリッジは、上シェルおよび下シェルを有するカートリッジ本体と、カートリッジ本体に収容された複数の光ディスクとを備えて構成されている。上シェルおよび下シェルは、互いに連結および分離が可能に構成されており、非使用状態では上シェルおよび下シェルが連結した状態に維持され、ディスクチェンジャー装置（記録再生装置）に挿入されたときにディスクチェンジャー装置によって上下に分離され、この状態で光ディスクの出し入れが行われる。上シェルは、矩形状の上面板、背面ブロックおよび前面壁を備えて構成されている。また、上シェルの上面板における内面の中央部には、支軸が立設されている。この支軸は、光ディスクの中心孔に挿通されて光ディスクの位置決めを行う機能を有している。下シェルは、矩形状の下面板、および左右ディスクホルダを備えて構成されている。左右ディスクホルダは、内面側に複数の支持溝がそれぞれ形成されて構成され、対向する一対の支持溝によって光ディスクの外側縁を支持する。
【先行技術文献】
【特許文献】
【０００３】
【特許文献１】特開２０１１−１０８３１２号公報（第５−１２頁、第４−８図）
【発明の概要】
【発明が解決しようとする課題】
【０００４】
ところが、従来のディスクカートリッジには、以下の問題点がある。すなわち、このディスクカートリッジでは、ディスクチェンジャー装置によって収容している光ディスクの出し入れが行われる。この場合、左右ディスクホルダの支持溝を構成する壁面（光ディスクの外側縁の端面に対向する壁面）と光ディスクの端面とが当接していると、光ディスクの出し入れがスムーズに行われないおそれがある。このため、この種のディスクカートリッジでは、支持溝を構成する壁面と光ディスクの端面との間に、ある程度の隙間が設けられている。しかしながら、例えば、搬送（持ち運び）の際にディスクカートリッジが振動したときには、上記の隙間の存在によって光ディスクがカートリッジ本体内で移動して、光ディスクの外周縁部がカートリッジ本体の壁面に当接することがある。この場合、光ディスクの外周縁部から記録領域の外周側の端部までの間の未記録領域の幅は、比較的狭く規定されている。このため、従来のディスクカートリッジには、光ディスクがカートリッジ本体内で移動して、光ディスクの外周縁部とカートリッジ本体の壁面とが当接したときに、外周縁部側の記録領域に影響が及び易いという問題点が存在する。
【０００５】
本発明は、かかる問題点に鑑みてなされたものであり、カートリッジケースと光ディスクとの当接による光ディスクの記録領域に対する影響を低減し得るカートリッジケースおよびディスクカートリッジを提供することを主目的とする。
【課題を解決するための手段】
【０００６】
上記目的を達成すべく本発明に係るカートリッジケースは、互いに連結および分離が可能な第１シェルおよび第２シェルを備えて当該各シェルの連結状態においてディスク状記録媒体を収容可能に構成されると共に、前記各シェルの分離状態において収容している前記ディスク状記録媒体の出し入れが可能に構成され、前記第１シェルは、略矩形の底部と、当該底部における対向する一対の縁部にそれぞれ配設されて前記ディスク状記録媒体の外周縁部を支持する一対の支持部を備え、前記第２シェルは、前記連結状態において前記第１シェルの前記底部に対向する略矩形の底部と、当該底部の内面に立設されて前記連結状態において前記第１シェルの前記支持部によって支持されている前記ディスク状記録媒体の中心孔に挿通される挿通軸とを備え、前記第１シェルおよび前記第２シェルは、前記連結状態における前記挿通軸の中心と前記支持壁の前記内面との間の最短の距離の２倍の距離から前記ディスク状記録媒体の外径を差し引いた値よりも前記ディスク状記録媒体の前記中心孔の直径から前記挿通軸の直径を差し引いた値が小さくなるように構成されている。
【０００７】
また、本発明に係るカートリッジケースは、前記第１シェルおよび前記第２シェルには、前記分離状態から前記連結状態に移行する移行時に互いに嵌合する嵌合部がそれぞれ設けられ、前記各嵌合部の少なくとも一方には、当該各嵌合部同士の嵌合を誘導する誘導部が設けられている。
【０００８】
また、本発明に係るカートリッジケースは、前記第２シェルには、前記連結状態の維持を解除するための解除部材を挿入させる挿入孔が形成されると共に、当該カートリッジケース内における前記ディスク状記録媒体の収容領域と当該収容領域を除く当該カートリッジケース内の他の領域とを区画する区画壁が設けられている。
【０００９】
また、本発明に係るカートリッジケースは、前記第２シェルの前記底部に立設された回動軸を中心として回動可能に配設されて前記各シェルの連結状態において前記第１シェルの被係合部に係合部が近接する第１回動方向に付勢されて当該係合部が当該被係合部に係合して当該連結状態を維持すると共に、解除部材の挿入によって前記第１回動方向とは逆向きに回動させられて前記連結状態を解除可能に構成されたロック部材を備え、前記第２シェルには、前記ロック部材の前記係合部と前記被係合部とが係合するまでの前記第１回動方向への回動量を超える当該ロック部材の回動を規制する規制部材が設けられている。
【００１０】
また、本発明に係るディスクカートリッジは、上記のカートリッジケースと、当該カートリッジケースに収容されたディスク状記録媒体とを備えている。
【発明の効果】
【００１１】
本発明に係るカートリッジケースおよびディスクカートリッジでは、各シェルの連結状態における挿通軸の中心と支持壁の内面との間の最短の距離の２倍の距離からディスク状記録媒体の外径を差し引いた値よりもディスク状記録媒体の中心孔の直径から挿通軸の直径を差し引いた値が小さくなるように各シェルが構成されている。このため、このカートリッジケースおよびディスクカートリッジによれば、例えば、持ち運びの際にディスクカートリッジが振動してカートリッジケース内でディスク状記録媒体が移動したとしても、挿通軸の外周面とディスク状記録媒体の中心孔の内周面とが当接して、それ以上のディスク状記録媒体の移動を規制する結果、支持壁の内面とディスク状記録媒体の端面との当接を回避することができる。この場合、ディスク状記録媒体における未記録領域の幅は、外周縁部よりも中心部の方が十分に広く確保されている。したがって、このカートリッジケースおよびディスクカートリッジによれば、カートリッジケース内でディスク状記録媒体が移動したときに支持壁の内面とディスク状記録媒体における外周縁部の端面とが当接する従来のディスクカートリッジと比較して、カートリッジケースとディスク状記録媒体との当接によるディスク状記録媒体の記録領域に対する影響を十分に低減することができる。
【００１２】
また、本発明に係るカートリッジケースおよびディスクカートリッジでは、第１シェルおよび第２シェルに設けられた嵌合部の少なくとも一方に誘導部が設けられている。この場合、誘導部が設けられていない構成では、各シェルが分離状態から連結状態に移行する際に嵌合部同士が衝突して連結状態への移行が困難となるおそれがある。これに対して、このカートリッジケースおよびディスクカートリッジによれば、誘導部を設けたことにより、各シェルが分離状態から連結状態に移行する際に嵌合部同士が衝突することなく両者の嵌合が誘導される結果、各シェルを分離状態から連結状態に確実かつスムーズに移行させることができる。
【００１３】
また、本発明に係るカートリッジケースおよびディスクカートリッジでは、カートリッジケース内におけるディスク状記録媒体の収容領域と収容領域を除く他の領域とを区画する区画壁が第２シェルに設けられている。この場合、これらが設けられていない構成では、第２シェルに形成されている挿入孔から埃等の異物がカートリッジケース内の収容領域に侵入する可能性がある。これに対して、このカートリッジケースおよびディスクカートリッジによれば、第２シェルに形成されている挿入孔から埃等の異物がカートリッジケース内に侵入したとしても、収容領域へのこれらの異物の侵入を確実に防止することができる結果、異物の侵入による影響を確実に回避することができる。
【００１４】
また、本発明に係るカートリッジケースおよびディスクカートリッジでは、ロック部材の係合部と被係合部とが係合するまでの回動量を超えるロック部材の回動を規制する規制部材が第２シェルに設けられている。この場合、規制部材を備えていない構成では、ディスクカートリッジを製造する際に、ロック部材、およびロック部材を付勢する付勢部材を第２シェルに組み付けたときに、付勢部材の付勢力によってロック部材の係合部が外側に大きく飛び出すこととなる。このため、第１シェルと第２シェルとを連結する際には、各シェルの間に係合部が挟み込まれないようにするために、付勢部材の付勢力に抗してロック部材の係合部を内側に押し込む必要があり、作業が煩雑となる。これに対してこのカートリッジケースおよびディスクカートリッジでは、ロック部材、およびロック部材を付勢する付勢部材を第２シェルに組み付けたときに、規制部材によってロック部材の必要以上の回動が規制される。このため、このカートリッジケースおよびディスクカートリッジによれば、第１シェルと第２シェルとを連結する作業を効率的に行うことができる結果、生産性を十分に向上させることができる。また、規制部材を区画壁として機能させることができるため、区画壁と相まって収容領域への異物の侵入をより確実に防止することができる結果、異物の侵入による影響をより確実に回避することができる。
【図面の簡単な説明】
【００１５】
【図１】ディスクカートリッジ１００を上シェル２側から見た斜視図である。
【図２】ディスクカートリッジ１００を下シェル１側から見た斜視図である。
【図３】ディスクカートリッジ１００を背面２００ｂ側から見た斜視図である。
【図４】カートリッジケース２００を分離した状態を上シェル２側から見たディスクカートリッジ１００の斜視図である。
【図５】カートリッジケース２００を分離した状態を下シェル１側から見たディスクカートリッジ１００の斜視図である。
【図６】上シェル２を分解した状態を上シェル２側から見たカートリッジケース２００の斜視図である。
【図７】上シェル２を分解した状態を下シェル１側から見たカートリッジケース２００の斜視図である。
【図８】下シェル１の支持部１３ａ，１３ｂおよび上シェル２の挿通軸２１３の構成を説明する説明図である。
【図９】図８におけるＸ−Ｘ線断面図である。
【図１０】支持部１３の構成を説明する説明図である。
【図１１】脱落防止部材１４の配設状態を説明する説明図である。
【図１２】脱落防止部材１４の構成を説明する説明図である。
【発明を実施するための形態】
【００１６】
以下、カートリッジケースおよびディスクカートリッジの実施の形態について、添付図面を参照して説明する。
【００１７】
最初に、ディスクカートリッジ１００の構成について、図面を参照して説明する。
【００１８】
図１〜図３に示すディスクカートリッジ１００は、例えば、データセンターでの大容量の記録データの保存や、大容量の映像情報のアーカイブなどに用いられるカートリッジ式の情報記録媒体であって、カートリッジケース２００および複数（例えば、１２枚）の光ディスク３００（ディスク状記録媒体の一例：図４参照）を一式備えて構成されている。この場合、このディスクカートリッジ１００は、製造段階でカートリッジケース２００に光ディスク３００が一式収容された状態で出荷される。
【００１９】
カートリッジケース２００は、図１〜図３に示すように、全体として薄形の直方体状に形成されている。また、カートリッジケース２００は、図１〜図５に示すように、互いに連結および分離が可能な下シェル１（第１シェル）および上シェル２（第２シェル）を備えて、各シェル１，２を連結した連結状態において光ディスク３００を収容して保持することが可能に構成されている。
【００２０】
また、カートリッジケース２００は、各シェル１，２が分離した分離状態において収容している光ディスク３００の出し入れが可能に構成されている。この場合、各シェル１，２の分離状態における光ディスク３００の出し入れは、図１〜図５における左前方側から行われる。以下の説明において、カートリッジケース２００における光ディスク３００の出し入れを行う側の面を「前面２００ａ」ともいい前面２００ａに対向する側の面を「背面２００ｂ」ともいう。なお、図４，５では、カートリッジケース２００（特に下シェル１）の構成を明確化するため、全ての光ディスク３００をカートリッジケース２００から取り出した状態で図示している。
【００２１】
下シェル１は、図６，７に示すように、下壁１１（底部）および支持部１３ａ，１３ｂ（以下、区別しないときには「支持部１３」ともいう）を備えて構成されている。この場合、下シェル１は、樹脂を射出成形することによって下壁１１と支持部１３ａ，１３ｂとが一体に形成されている。この場合、下シェル１の成形に用いる樹脂としては、一例として、ポリアセタール（ＰＯＭ）、ポリアミド（ＰＡ）、ポリカーボネート（ＰＣ）、アクリロニトリルブタジエンスチレン（ＡＢＳ）およびポリブチレンテレフタレート（ＰＢＴ）などの樹脂またはそれらのポリマーアロイを用いることができる。
【００２２】
下壁１１は、図６，７に示すように、略矩形の板状に形成されている。また、下壁１１における一対の縁部１１ａ，１１ｂ（前面２００ａ側の縁部および背面２００ｂ側の縁部を除く縁部）には、側壁１１１ａ，１１１ｂが立設されている。
【００２３】
支持部１３ａ，１３ｂは、下壁１１における一対の縁部１１ａ，１１ｂ（側壁１１１ａ，１１１ｂの内側）にそれぞれ配設されている。この支持部１３ａ，１３ｂは、図８，９に示すように、光ディスク３００が下壁１１に対して平行となるように光ディスク３００の外周縁部３００ｂを支持可能に構成されている。具体的には、各支持部１３は、図６，９に示すように、下壁１１に立設された支持壁１３１と、支持壁１３１から対向する他方の支持部１３側（下シェル１の中央部側）に向けて迫り出すように各支持壁１３１に突出形成された幅狭で板状（帯状）の複数の鍔部１３２を備えて構成されている。
【００２４】
この場合、図８に示すように、支持壁１３１および鍔部１３２は、平面視直線状のストレート部１３１ａ，１３２ａをそれぞれ備えると共に、平面視円弧状の円弧部１３１ｂ，１３２ｂをそれぞれ備えて構成されている。この支持部１３では、図９に示すように、２つの鍔部１３２と支持壁１３１とによって構成される断面がコ字状の溝部１３３に光ディスク３００の外周縁部３００ｂが挿入され、これによって光ディスク３００の外周縁部３００ｂを支持することが可能となっている。
【００２５】
また、このカートリッジケース２００では、図８に示すように、上シェル２の後述する上壁２１に形成されている挿通軸２１３の中心と支持部１３の溝部１３３を形成する支持壁１３１の内面１３１ｅとの間の各シェル１，２の連結状態における最短の距離の２倍の距離をＡ１、挿通軸２１３の直径をＡ２、光ディスク３００の外径をＤ１、光ディスク３００の中心孔３０１の直径をＤ２としたときに、Ｄ２からＡ２を差し引いた差分値Ｖ２がＡ１からＤ１を差し引いた差分値Ｖ１よりも小さくなるように下シェル１および上シェル２が構成されている。なお、同図では、光ディスク３００が支持されている状態を示すために、上シェル２については、挿通軸２１３のみを図示している。
【００２６】
また、図１０に示すように、支持壁１３１の長さ方向の中間部分（ストレート部１３１ａと円弧部１３１ｂとの境界部の近傍）には、後述する脱落防止部材１４の当接部１４２ａ（図１１，１２参照）を、支持壁１３１の外面１３１ｃ側から支持壁１３１を挿通させて支持壁１３１の内面１３１ｅよりも下シェル１の中心部側（内側）に突出させるための複数の挿通孔１３１ｄが、支持壁１３１の高さ方向に沿って直線上に並ぶように形成されている。この場合、挿通孔１３１ｄは、支持部１３における溝部１３３を構成する部分、つまり、各鍔部１３２の間の部分に形成されている。
【００２７】
また、図１１に示すように、支持壁１３１には、脱落防止部材１４が配設されている。脱落防止部材１４は、図１１，１２に示すように、ベース部１４１と、ベース部１４１から張り出すように形成された複数の弾性変形可能な腕部１４２を備えて構成されている。また、腕部１４２の先端部には平面視半円状の当接部１４２ａが設けられている。この場合、脱落防止部材１４は、図１１に示すように、ベース部１４１が支持壁１３１の外面１３１ｃ側に固定され、腕部１４２の当接部１４２ａが支持壁１３１に形成されている挿通孔１３１ｄから支持壁１３１の内面１３１ｅよりも下シェル１の内側（中央部側）に突出するように構成されている。この脱落防止部材１４は、各シェル１，２の分離状態において偶発的に光ディスク３００がカートリッジケース２００の前面２００ａ側に移動しそうになったときに当接部１４２ａが光ディスク３００の外周縁部３００ｂの端面３０２に当接して下シェル１からの光ディスク３００の脱落を防止する機能を有している。
【００２８】
また、図６，７に示すように、下シェル１の背面２００ｂには、下シェル１および上シェル２が分離状態から連結状態に移行する移行時に上シェル２における後述する嵌合部２１２（図７参照）と互いに嵌合する嵌合部１５が設けられている。また、嵌合部１５（嵌合部１５，２１２の少なくとも一方の一例）の先端部には、嵌合部１５，２１２同士の嵌合を誘導する誘導部１５１が設けられている。この場合、誘導部１５１は、内面が下シェル１の高さ方向（厚み方向）に沿って延在し、外面の先端部分が内面に対して傾斜する（つまり、厚み方向に対して傾斜する）傾斜面で形成されることにより、先端に向かうに従って厚みが薄くなるように構成されている。
【００２９】
また、図６，７に示すように、下シェル１の前面２００ａには、上シェル２における後述する前面側ロック部材２４ａ，２４ｂ（以下、区別しないときには「前面側ロック部材２４」ともいう）の係合部２４２が係合する前面側被係合部１６が設けられている。また、下シェル１の背面２００ｂには、上シェル２における後述する背面側ロック部材２５ａ，２５ｂ（以下、区別しないときには「背面側ロック部材２５」ともいう）の先端部が係合する背面側被係合部１７が設けられている。さらに、下シェル１には、図６に示すように、下シェル１を補強するための補強板１８が配設されている。この場合、補強板１８は、一例としてステンレス板で形成されている
【００３０】
上シェル２は、図６，７に示すように、上壁２１（底部）、前面側ブロック２２、背面側ブロック２３、前面側ロック部材２４ａ，２４ｂ、背面側ロック部材２５ａ，２５ｂおよび誤消去防止プラグ２６を備えて構成されている。この場合、上壁２１、前面側ブロック２２および背面側ブロック２３は、一例として、樹脂の射出成形によって互いに別体に形成されて、ねじ２９（両図参照）を用いて互いに連結される。
【００３１】
上壁２１は、図６，７に示すように、略矩形の板状に形成されている。また、上壁２１における前面２００ａ側の縁部を除く各縁部２１ａ〜２１ｃには、側壁２１１ａ〜２１１ｃが立設されている。この場合、側壁２１１ａ，２１１ｂにおける背面２００ｂ側の一部が下シェル１および上シェル２の連結状態（図１〜図３に示す状態）において下シェル１の嵌合部１５と嵌合する嵌合部２１２として機能する。
【００３２】
また、図７に示すように、上壁２１の内面２１ｄの中央部には、円柱状（または、円筒状）の挿通軸２１３が立設されている。この挿通軸２１３は、下シェル１および上シェル２の連結状態において、下シェル１の支持部１３によって外周縁部３００ｂが支持されている光ディスク３００の中心孔３０１に挿通されて、光ディスク３００の中心部３００ａを支持する。
【００３３】
また、図７に示すように、上壁２１の内面２１ｄの前面２００ａには、前面側ロック部材２４ａ，２４ｂを回動可能に支持する回動軸２１４ａ，２１４ｂが立設されている。また、内面２１ｄにおける回動軸２１４ａ，２１４ｂの近傍には、壁状の規制部材２１５が立設されている。この規制部材２１５は、後述する前面側ロック部材２４ａ，２４ｂの係合部２４２と下シェル１の前面側被係合部１６とが係合したときまでに回動する回動量を超える前面側ロック部材２４ａ，２４ｂの回動を規制する機能を有している。また、規制部材２１５は、カートリッジケース２００内における光ディスク３００の収容領域２００ｃ（図４，５参照）と収容領域２００ｃを除くカートリッジケース２００内の他の領域（以下、この領域を「外周領域２００ｄ」ともいう：図６参照）とを区画して収容領域２００ｃへの埃等の異物の侵入を防止する区画壁としても機能する。
【００３４】
前面側ブロック２２は、上シェル２の前面２００ａ側を構成する部材であって、図６，７に示すように、前面側壁部２２１および区画壁２２２を備えて構成されている。前面側壁部２２１は、カートリッジケース２００の前面２００ａを構成する壁部であって、略矩形に形成されて、前面側ブロック２２が上壁２１に連結された状態において、上壁２１に対して直角をなすように構成されている。また、前面側壁部２２１には、前面側ロック部材２４ａ，２４ｂを回動させて前面側ロック部材２４ａ，２４ｂによる各シェル１，２の連結状態の維持（ロック状態）を解除するための解除部材（後述する記録再生装置に備えられている部材）を挿入させる２つの挿入孔２２１ａが形成されている。区画壁２２２は、収容領域２００ｃと外周領域２００ｄとを区画する機能を有する壁部であって、前面側壁部２２１に沿うようにして、平面視円弧状に形成されている。
【００３５】
背面側ブロック２３は、上シェル２の背面２００ｂ側を構成する部材であって、図６，７に示すように、背面側壁部２３１および区画壁２３２を備えて構成されている。背面側壁部２３１は、上シェル２１の側壁２１１ｃと共にカートリッジケース２００の背面２００ｂを構成する壁部であって、略矩形に形成されて、背面側ブロック２３が上壁２１に連結された状態において、上壁２１に対して直角をなすように構成されている。区画壁２３２は、収容領域２００ｃと外周領域２００ｄとを区画する機能を有する壁部であって、背面側壁部２３１に対向するようにして、平面視円弧状に形成されている。
【００３６】
前面側ロック部材２４ａ，２４ｂは、図６，７に示すように、上壁２１の前面２００ａ側に設けられている回動軸２１４ａ，２１４ｂを本体部２４１の挿通孔２４１ａに挿通させた状態で上シェル２に配設されて、回動軸２１４ａ，２１４ｂを中心として回動可能に構成されている。また、前面側ロック部材２４ａ，２４ｂは、各シェル１，２の連結状態において下シェル１の前面側被係合部１６に係合部２４２が近接する第１回動方向（前面側ロック部材２４ａについては係合部２４２が側壁２１１ａに向かう回動方向、前面側ロック部材２４ｂについては係合部２４２が側壁２１１ｂに向かう回動方向）に付勢部材（一例として、両図に示す、ねじりコイルばね２７）によってそれぞれ付勢されている。
【００３７】
この前面側ロック部材２４ａ，２４ｂは、各シェル１，２の連結状態において、係合部２４２が下シェル１の前面側被係合部１６に係合して連結状態を維持（各シェル１，２の分離を規制）する。また、前面側ロック部材２４ａ，２４ｂは、上記した解除部材によって第１回動方向とは逆向きの第２回動方向に回動させられときには係合部２４２と下シェル１の前面側被係合部１６との係合が解除されて連結状態を解除（各シェル１，２の分離を許容）する機能を有している。
【００３８】
背面側ロック部材２５ａ，２５ｂは、背面側ブロック２３（つまり、上シェル２の背面２００ｂ側）に配設されている。また、背面側ロック部材２５ａ，２５ｂは、上シェル２の前後方向（前面２００ａと背面２００ｂとを結ぶ方向）に沿ってスライド可能に構成されている。また、背面側ロック部材２５ａ，２５ｂは、付勢部材（一例として、図６，７に示す、コイルばね２８）によって背面２００ｂから前面２００ａに向けて付勢されている。
【００３９】
この背面側ロック部材２５ａ，２５ｂは、各シェル１，２の連結状態において、先端部が下シェル１の背面側被係合部１７に係合して連結状態を維持（各シェル１，２の分離を規制）する。また、背面側ロック部材２５ａ，２５ｂは、記録再生の解除部材（前面側ロック部材２４ａ，２４ｂを回動させる解除部材とは異なる解除部材）によって付勢の向きとは逆向きに移動させられることにより、先端部と下シェル１の背面側被係合部１７との係合が解除されて連結状態を解除（各シェル１，２の分離を許容）する機能を有している。
【００４０】
誤消去防止プラグ２６は、図６，７に示すように、背面側ブロック２３（つまり、上シェル２の背面２００ｂ側）に配設されている。また、誤消去防止プラグ２６は、図３に示すように、背面側ブロック２３の背面側壁部２３１に沿って第１位置（上書きを禁止する位置）と第２位置（上書きを許容する位置）との間でスライド可能に構成されている。
【００４１】
このディスクカートリッジ１００では、上記のようにカートリッジケース２００を構成したことで、各種の効果を実現することが可能となっている。具体的には、このディスクカートリッジ１００では、各シェル１，２の連結状態における上シェル２の挿通軸２１３の中心と支持部１３の支持壁１３１の内面１３１ｅとの間の最短の距離Ａ０の２倍の距離をＡ１、挿通軸２１３の直径をＡ２、光ディスク３００の外径をＤ１、光ディスク３００の中心孔３０１の直径をＤ２としたときに、Ｄ２からＡ２を差し引いた差分値Ｖ２がＡ１からＤ１を差し引いた差分値Ｖ１よりも小さくなるように下シェル１および上シェル２が構成されている。このため、このディスクカートリッジ１００では、例えば、持ち運びの際にディスクカートリッジ１００が振動してカートリッジケース２００内で光ディスク３００が移動したとしても、支持壁１３１の内面１３１ｅと光ディスク３００の端面３０２とが当接する以前に（つまり、内面１３１ｅと端面３０２とが当接することなく）、挿通軸２１３の外周面２１３ａと光ディスク３００の中心孔３０１の内周面３０１ａとが当接する。この場合、光ディスク３００における未記録領域の幅は、外周縁部３００ｂよりも中心部３００ａの方が十分に広く確保されている。このため、このディスクカートリッジ１００では、カートリッジケース２００内で光ディスク３００が移動したときに支持壁１３１の内面１３１ｅと光ディスク３００における外周縁部３００ｂの端面３０２とが当接する（つまり、未記録領域の幅が狭い外周縁部３００ｂ側がカートリッジケース２００に当接する）従来のディスクカートリッジと比較して、カートリッジケース２００と光ディスク３００との当接による光ディスク３００の記録領域に対する影響を十分に低減することが可能となっている。
【００４２】
また、このディスクカートリッジ１００では、カートリッジケース２００内における光ディスク３００の収容領域２００ｃと外周領域２００ｄとを区画する区画壁２２２，２３２および規制部材２１５が設けられている。このため、このディスクカートリッジ１００では、上シェル２の前面側ブロック２２の前面側壁部２２１に形成されている挿入孔２２１ａから埃等の異物がカートリッジケース２００内に侵入したとしても、これらの異物の収容領域２００ｃへの侵入が防止される結果、異物の侵入による影響を確実に回避することが可能となっている。
【００４３】
次に、ディスクカートリッジ１００の使用方法、および使用時におけるディスクカートリッジ１００を構成する各部の動きについて、図面を参照して説明する。
【００４４】
このディスクカートリッジ１００は、図外の記録再生装置にセットされていない状態では、上シェル２に配設されている前面側ロック部材２４ａ，２４ｂおよび背面側ロック部材２５ａ，２５ｂが、カートリッジケース２００の下シェル１および上シェル２の連結状態を維持している。
【００４５】
ディスクカートリッジ１００の光ディスク３００に対するデータの書き込みや、光ディスク３００からのデータの読み出しを行う際には、まず、記録再生装置にディスクカートリッジ１００をセットする。具体的には、ディスクカートリッジ１００におけるカートリッジケース２００の前面２００ａを記録再生装置の挿入口に対向させ、続いて挿入口からディスクカートリッジ１００を記録再生装置の内部に挿入する。この際に、記録再生装置がディスクカートリッジ１００を内部に引き込む。
【００４６】
また、ディスクカートリッジ１００を引き込む際に、記録再生装置の内部に配設されている解除部材が、上シェル２における前面側ブロック２２の前面側壁部２２１に形成されている挿入孔２２１ａからディスクカートリッジ１００（カートリッジケース２００）の内部に挿入されて、前面側ロック部材２４ａ，２４ｂを第２回動方向に回動させる。この前面側ロック部材２４ａ，２４ｂの回動によって前面側ロック部材２４ａ，２４ｂの係合部２４２と下シェル１の前面側被係合部１６との係合が解除される。
【００４７】
また、他の解除部材が下シェル１と上シェル２との間の進入溝２０１（図１〜図３参照）に沿ってカートリッジケース２００の背面２００ｂ側に挿入されて、背面側ロック部材２５ａ，２５ｂを背面２００ｂ側に移動させる。この背面側ロック部材２５ａ，２５ｂの移動によって背面側ロック部材２５ａ，２５ｂの先端部と下シェル１の背面側被係合部１７との係合が解除される。これにより、各ロック部材２４ａ，２４ｂ，２５ａ，２５ｂによるロック状態が解除されて、各シェル１，２が分離可能な状態となる。
【００４８】
次いで、記録再生装置は、各シェル１，２の一方のシェル（例えば、下シェル１）を他方のシェル（この例では上シェル２）から離間するように移動（下降）させる。これにより、各シェル１，２が連結状態から分離状態に移行する。この際に、光ディスク３００の中心孔３０１に挿通されている挿通軸２１３が中心孔３０１から引き抜かれる。これにより、カートリッジケース２００に収容されている光ディスク３００が出し入れ可能な状態となる。
【００４９】
続いて、記録再生装置は、各光ディスク３００の中から指定操作によって指定された１枚の光ディスク３００における背面側の外周縁部３００ｂに押圧部材（例えばロッド）を押し当てて前方（記録再生装置の奥側）に向けて押圧する。この際に、押圧された光ディスク３００の外周縁部３００ｂが支持部１３における溝部１３３に沿って前方に向けて移動する。次いで、記録再生装置は、この光ディスク３００をさらに押圧して、下シェル１の前方に位置する回転機構（光ディスク３００を回転させる機構）の配置位置まで光ディスク３００を押し出す。
【００５０】
続いて、回転機構が、押し出された光ディスク３００を保持する。次いで、記録再生装置は、光ディスク３００に対するデータの書き込みや、光ディスク３００からのデータの読み出しを行う。続いて、データの書き込みや読み出しの処理が終了したときには、記録再生装置は、光ディスク３００をカートリッジケース２００の背面２００ｂ側（記録再生装置の挿入口側）に向けて押圧して下シェル１に挿入させる。この際に、光ディスク３００の外周縁部３００ｂが支持部１３の溝部１３３に沿ってカートリッジケース２００の背面２００ｂ側に向けて移動する。次いで、光ディスク３００が初期位置（押し出される前の位置）に移動した時点で押圧を終了する。
【００５１】
続いて、記録再生装置は、下シェル１を上シェル２に近接するように移動（上昇）させる。これにより、各シェル１，２が分離状態から連結状態に移行する。この際に、下シェル１の嵌合部１５と上シェル２の嵌合部２１２とが互いに嵌合する。この場合、このカートリッジケース２００では、嵌合部１５の先端部に誘導部１５１が設けられている。このため、分離状態から連結状態に移行する際に（下シェル１の移動の際に）、嵌合部１５，２１２同士が衝突することなく両者の嵌合が誘導される（この例では、嵌合部１５が嵌合部２１２の内側に進入するように案内される）結果、各シェル１，２が分離状態から連結状態に確実かつスムーズに移行する。
【００５２】
また、各シェル１，２が分離状態から連結状態に移行する際に、上シェル２の挿通軸２１３が各光ディスク３００の中心孔３０１に挿通される。これにより、光ディスク３００の外周縁部３００ｂが下シェル１の支持部１３によって支持され、光ディスク３００の中心部３００ａが上シェル２の挿通軸２１３によって支持される。
【００５３】
次いで、記録再生装置は、ディスクカートリッジ１００を挿入口の外側に向けて押し出す。この際に、解除部材が、上シェル２における前面側壁部２２１の挿入孔２２１ａから引き抜かれ、これに伴って前面側ロック部材２４ａ，２４ｂが、ばねの付勢力によって第１回動方向に回動させられる。この結果、前面側ロック部材２４ａ，２４ｂの係合部２４２と下シェル１の前面側被係合部１６とが係合する。また、他の解除部材が下シェル１と上シェル２との間の進入溝２０１に沿って引き抜かれ、これに伴って背面側ロック部材２５ａ，２５ｂがばねの付勢力によって前面側に移動させられる。この結果、背面側ロック部材２５ａ，２５ｂの先端部と下シェル１の背面側被係合部１７とが係合する。これにより、各ロック部材２４ａ，２４ｂ，２５ａ，２５ｂによって各シェル１，２の連結状態が維持される（ロック状態に移行する）。これにより、ディスクカートリッジ１００が記録再生装置から取り出し可能な状態となる。
【００５４】
このように、このカートリッジケース２００およびディスクカートリッジ１００では、各シェル１，２の連結状態における挿通軸２１３の中心と支持壁１３１の内面１３１ｅとの間の最短の距離の２倍の距離Ａ１から光ディスク３００の外径Ｄ１を差し引いた値Ｖ１よりも光ディスク３００の中心孔３０１の直径Ｄ２から挿通軸２１３の直径Ａ２を差し引いた値Ｖ２が小さくなるように各シェル１，２が構成されている。このため、このカートリッジケース２００およびディスクカートリッジ１００によれば、例えば、持ち運びの際にディスクカートリッジ１００が振動してカートリッジケース２００内で光ディスク３００が移動したとしても、挿通軸２１３の外周面２１３ａと光ディスク３００の中心孔３０１の内周面３０１ａとが当接して、それ以上の光ディスク３００の移動を規制する結果、支持壁１３１の内面１３１ｅと光ディスク３００の端面３０２との当接を回避することができる。この場合、光ディスク３００における未記録領域の幅は、外周縁部３００ｂよりも中心部３００ａの方が十分に広く確保されている。したがって、このカートリッジケース２００およびディスクカートリッジ１００によれば、カートリッジケース２００内で光ディスク３００が移動したときに支持壁１３１の内面１３１ｅと光ディスク３００における外周縁部３００ｂの端面３０２とが当接する従来のディスクカートリッジと比較して、カートリッジケース２００と光ディスク３００との当接による光ディスク３００の記録領域に対する影響を十分に低減することができる。
【００５５】
また、このカートリッジケース２００およびディスクカートリッジ１００では、下シェル１および上シェル２に設けられた嵌合部１５，２１２の少なくとも一方（上記の例では、嵌合部１５）に誘導部１５１が設けられている。この場合、誘導部１５１が設けられていない構成では、各シェル１，２が分離状態から連結状態に移行する際に嵌合部１５，２１２同士が衝突して連結状態への移行が困難となるおそれがある。これに対して、このカートリッジケース２００およびディスクカートリッジ１００によれば、誘導部１５１を設けたことにより、各シェル１，２が分離状態から連結状態に移行する際に嵌合部１５，２１２同士が衝突することなく両者の嵌合が誘導される結果、各シェル１，２を分離状態から連結状態に確実かつスムーズに移行させることができる。
【００５６】
また、このカートリッジケース２００およびディスクカートリッジ１００では、カートリッジケース２００内における光ディスク３００の収容領域２００ｃと収容領域２００ｃを除く外周領域２００ｄとを区画する区画壁２２２，２３２および規制部材２１５が上シェル２に設けられている。この場合、これらが設けられていない構成では、上シェル２の前面側壁部２２１に形成されている挿入孔２２１ａから埃等の異物がカートリッジケース２００内の収容領域２００ｃに侵入する可能性がある。これに対して、このカートリッジケース２００およびディスクカートリッジ１００によれば、上シェル２の前面側壁部２２１に形成されている挿入孔２２１ａから埃等の異物がカートリッジケース２００内に侵入したとしても、収容領域２００ｃへのこれらの異物の侵入を確実に防止することができる結果、異物の侵入による影響を確実に回避することができる。
【００５７】
また、このカートリッジケース２００およびディスクカートリッジ１００では、前面側ロック部材２４の係合部２４２と前面側被係合部１６とが係合するまでの回動量を超える前面側ロック部材２４の回動を規制する規制部材２１５が上シェル２に設けられている。この場合、規制部材２１５を備えていない構成では、ディスクカートリッジ１００を製造する際に、前面側ロック部材２４、および前面側ロック部材２４を付勢する付勢部材を上シェル２に組み付けたときに、付勢部材の付勢力によって前面側ロック部材２４の係合部２４２が外側に大きく飛び出すこととなる。このため、下シェル１と上シェル２とを連結する際には、各シェル１，２の間に係合部２４２が挟み込まれないようにするために、付勢部材の付勢力に抗して前面側ロック部材２４の係合部２４２を内側に押し込む必要があり、作業が煩雑となる。これに対して、このカートリッジケース２００およびディスクカートリッジ１００では、前面側ロック部材２４、および前面側ロック部材２４を付勢する付勢部材を上シェル２に組み付けたときに、規制部材２１５によって前面側ロック部材２４の必要以上の回動が規制される。このため、このカートリッジケース２００およびディスクカートリッジ１００によれば、下シェル１と上シェル２とを連結する作業を効率的に行うことができる結果、生産性を十分に向上させることができる。また、規制部材２１５を区画壁として機能させることができるため、区画壁２２２，２３２と相まって収容領域２００ｃへの異物の侵入をより確実に防止することができる結果、異物の侵入による影響をより確実に回避することができる。
【００５８】
なお、カートリッジケースおよびディスクカートリッジの構成は、上記の構成に限定されない。例えば、下シェル１を構成する下壁１１と支持部１３ａ，１３ｂとを一体に形成した例について上記したが、下壁１１と支持部１３ａ，１３ｂとを別体に形成してねじ等を用いて連結する構成を採用することもできる。また、カートリッジケース２００内に１２枚の光ディスク３００を収容する構成例について上記したが、カートリッジケース２００に収容する光ディスク３００の数はこれに限定されず、任意に規定することができる。この場合、収容する光ディスク３００に応じて鍔部１３２の数も任意に変更することができる。
【００５９】
また、嵌合部１５，２１２のうちの嵌合部１５にのみ誘導部１５１を設けた構成例について上記したが、嵌合部１５，２１２の双方に誘導部を設ける構成を採用することもできる。また、嵌合部１５，２１２に限定されず、各シェル１，２が分離状態から連結状態に移行する際に嵌合する嵌合部を任意の部位に設け、その嵌合部に誘導部を設けることができる。
【００６０】
また、規制部材２１５を壁状に形成して、前面側ロック部材２４の回動を規制する機能に加えて、収容領域２００ｃと外周領域２００ｄとを区画する区画壁として機能させる構成例について上記したが、規制部材２１５を棒状（柱状）に形成して、回動を規制する機能のみを有する（つまり、区画壁としては機能しない）ように構成することもできる。
【符号の説明】
【００６１】
１  下シェル
２  上シェル
１１  下壁
１３ａ，１３ｂ  支持部
１５，２１２嵌合部
１６  前面側被係合部
２１  上壁
２１ｄ  内面
２４ａ，２４ｂ  前面側ロック部材
１００  ディスクカートリッジ
１３１  支持壁
１３１ｅ  内面
１５１  誘導部
２００  カートリッジケース
２１３  挿通軸
２１３ａ  外周面
２１４ａ，２１４ｂ  回動軸
２１５  規制部材
２２１  前面側壁部
２２１ａ  挿入孔
２２２，２３２  区画壁
２４１  本体部
２４１ａ  挿通孔
２４２  係合部
３００  光ディスク
３０１  中心孔
３０１ａ  内周面
３０２  端面
Ａ１，Ａ０  距離
Ａ２，Ｄ２  直径
Ｄ１  外径
Ｖ１，Ｖ２  差分値
【図１】
2014130653.tif 000003
【図２】
2014130653.tif 000004
【図３】
2014130653.tif 000005
【図４】
2014130653.tif 000006
【図５】
2014130653.tif 000007
【図６】
2014130653.tif 000008
【図７】
2014130653.tif 000009
【図８】
2014130653.tif 000010
【図９】
2014130653.tif 000011
【図１０】
2014130653.tif 000012
【図１１】
2014130653.tif 000013
【図１２】
2014130653.tif 000014